(57)【要約】【課題】脱落呼び出しを保留するためのボタンを設けずに、ナースコール子機がウォールユニットから外れた際の脱落呼び出しを適切に保留できるようにする。【解決手段】ウォールユニット１０は、壁面と略同平面を形成する第一の状態と壁面から突出してナースコール子機１のリングを掛けるフックを形成する第二の状態とを移行するカバー１５と、このカバー１５が第二の状態から第一の状態へと移行した場合に覆われ、ナースコール子機１のプラグ４を着脱自在に接続するコンセント１２とを備えており、コンセント１２からプラグ４が脱落してから所定時間になるまでにカバー１５が第一の状態へ移行したときに脱落呼び出しの報知を行わず、所定時間になってもカバー１５が第二の状態であるときに脱落呼び出しの報知を行うようにしているので、意図的に取り外された場合にはカバー１５が収納される自然な動作により脱落呼び出しが行われなくなる。【選択図】図２
2014124188.tif 000002
【特許請求の範囲】
【請求項１】
壁面に設置されたウォールユニットに設けたコンセントに対してナースコール子機のプラグを着脱自在に接続し、前記ナースコール子機により呼び出しが行われた場合に、前記ウォールユニットを介して接続されているナースコール親機にて報知を行うナースコールシステムであって、
前記ウォールユニットは、壁面の平面と略同平面を形成する第一の状態、および、前記壁面から突出したフックを形成する第二の状態を選択的に移行するカバーと、時間を計測するタイマーと、前記プラグが前記コンセントから脱落したことを検出すると前記タイマーを動作させ、前記タイマーが計測した時間が所定時間となるまでに前記カバーが前記第二の状態から前記第一の状態へと移行した場合には、脱落呼出信号を生成せず、前記タイマーが計測した時間が所定時間となっても前記カバーが前記第二の状態のままである場合には、前記脱落呼出信号を生成する制御部と、前記制御部にて生成された脱落呼出信号を出力するインターフェースとを備え、
前記ウォールユニットから脱落呼出信号を入力した場合に、前記ナースコール親機が、前記ナースコール子機のプラグが前記ウォールユニットのコンセントから脱落していることを報知することを特徴とするナースコールシステム。
【発明の詳細な説明】
【技術分野】
【０００１】
本発明は、病院などで患者からの要求に応じて医療従事者を呼び出すナースコールシステムに関する。
【背景技術】
【０００２】
病院や福祉施設などに設置されるナースコールシステムは、ナースステーションに設置されるナースコール親機と、病室の出入口近傍の廊下側に設置され、ナースコール親機に接続される廊下灯と、病室内の壁面に設置され、廊下灯に接続されるウォールユニットと、ウォールユニットに接続され、患者により使用されるナースコール子機とを備えている。
【０００３】
ウォールユニットは、その表面にコンセントを備えており、このコンセントにナースコール子機のコードの先端に設けられたプラグを取り付けることで、患者がナースコール子機によってナースコール親機に呼び出しを行うことができる。ここで、ナースコール親機は、ナースコール子機からの呼び出しを受けると報知を行う。また、ナースコール子機のプラグは、ウォールユニットのコンセントに対して着脱自在となっている。
【０００４】
このようなナースコール子機としては、握り押しボタンやハンド形子機などがある。ここで、握り押しボタンは、呼出ボタンによって構成される呼出操作部を備えており、単に呼び出し専用であり、通話機能を持たない。また、ハンド形子機は、呼出ボタンによって構成される呼出操作部に加えて、マイクロホンおよびスピーカーを内蔵しており、ハンド形子機自体が通話機能を持っている。
【０００５】
ところで、ナースコールシステムにおいて、ウォールユニットのコンセントからナースコール子機のプラグが脱落したり、ナースコール子機の本体とプラグとの間に設けられたコードが断線したりして、ナースコール子機に異常が生じると、ウォールユニットが脱落呼び出しをかけるようにしている技術が知られている（例えば、特許文献１など）。
【０００６】
特許文献１に記載の技術では、ウォールユニットに設けた脱落保留操作部である復旧ボタンを押下しながらナースコール子機のプラグをウォールユニットのコンセントから取り外すと、ナースコール親機はナースコール子機がコンセントから脱落したことを示す報知を行わないようにしている。これにより、ナースコール子機を使用しない場合などに、報知を行わせずにナースコール子機のプラグをウォールユニットのコンセントから取り外しておくことが可能となる。ここで、ナースコール子機のプラグがウォールユニットのコンセントから取り外されるケースとしては、ナースコール子機を交換する場合や、使用しないナースコール子機を外しておく場合などが考えられる。
【０００７】
また、特許文献１に記載の技術では、ウォールユニットのコンセントにナースコール子機のプラグを接続することで、ウォールユニットが再び脱落呼び出しをかける状態に戻すことが記載されている。これにより、交換したナースコール子機のプラグや再び使用するナースコール子機のプラグをウォールユニットのコンセントに接続するだけで、脱落呼び出しの保留を解除することができる。
【０００８】
しかしながら、特許文献１に記載の技術では、脱落保留操作部である復旧ボタンを押下しながらナースコール子機のプラグをウォールユニットのコンセントから取り外すと、ナースコール親機はナースコール子機がコンセントから脱落したことを示す報知を行わないようにしているので、復旧ボタンなどの何らかの操作部が必要になってしまうという問題があった。
【先行技術文献】
【特許文献】
【０００９】
【特許文献１】特開２００８−４２４５９号公報
【発明の概要】
【発明が解決しようとする課題】
【００１０】
本発明は、このような問題を解決するために成されたものであり、脱落呼び出しを保留するためのボタンを設けずに、ナースコール子機のプラグがウォールユニットのコンセントから外れた際の脱落呼び出しを適切に保留できるようにすることを目的とする。
【課題を解決するための手段】
【００１１】
上述した課題を解決するために、本発明では、ウォールユニットが設置されている壁面の平面と略同平面を形成する第一の状態、および、壁面から突出し、ナースコール子機に設けたリングを掛けるためのフックを形成する第二の状態を選択的に移行するカバーと、カバーが第二の状態から第一の状態へと移行した場合に覆われ、ナースコール子機を着脱自在に接続するコンセントとを備え、コンセントからナースコール子機のプラグが脱落してからの時間が所定時間となるまでに、カバーが第二の状態から第一の状態へ移行したときに、ナースコール親機にて脱落呼び出しの報知を行わないようにし、所定時間となっても、カバーが第二の状態のままであるときに、ナースコール親機にて脱落呼び出しの報知を行うようにしている。
【発明の効果】
【００１２】
上記のように構成した本発明によれば、ナースコール子機のプラグがウォールユニットのコンセントから意図的に取り外された場合には、コンセントを保護するために、ナースコール子機のリングを掛けるためのフックの機能を有するカバーが第一の状態となり収納されることが自然であり、この自然な動作でナースコール子機のプラグがウォールユニットのコンセントから脱落した際の脱落呼び出しの報知が行われなくなるので、脱落呼び出しを保留するためのボタンをウォールユニットに設ける必要がなくなる。一方、ナースコール子機のプラグがウォールユニットのコンセントから意図せずに外れた場合には、カバーが第一の状態となることはなく、脱落呼び出しの報知が行われることになる。従って、脱落呼び出しを保留するためのボタンを設けずに、ナースコール子機のプラグがウォールユニットのコンセントから外れた際の脱落呼び出しを適切に保留することができる。
【図面の簡単な説明】
【００１３】
【図１】本実施形態によるナースコールシステムの構成例を示すブロック図である。
【図２】本実施形態によるナースコールシステムのウォールユニットの外観例を示す図である。
【図３】本実施形態によるナースコールシステムのウォールユニットの変形例を示す図である。
【発明を実施するための形態】
【００１４】
以下、本発明の一実施形態を図面に基づいて説明する。図１は、本実施形態によるナースコールシステムの構成例を示すブロック図である。また、図２は、本実施形態によるナースコールシステムのウォールユニット１０の外観例を示す図である。図１に示すように、本実施形態によるナースコールシステムは、病室内の患者によって使用されるナースコール子機１と、各ベッド近傍の壁面に設置されるウォールユニット１０と、医療従事者が常駐するナースステーションに設置され、ナースコール子機１からの呼び出しに応答するためのナースコール親機２０とを備えて構成される。
【００１５】
ここで、ナースコール子機１は、子機制御部２、呼出操作部３、プラグ４を備えて構成されている。また、ウォールユニット１０は、制御部１１、コンセント１２、タイマー１３、インターフェース１４、カバー１５を備えて構成されている。また、ナースコール親機２０は、親機制御部２１、親機インターフェース２２、報知部２３を備えて構成されている。
【００１６】
本実施形態によるナースコールシステムは、他の標準的な構成要素として、ウォールユニット１０とナースコール親機２０との間に設置され、ナースコール子機１により呼び出しが行われたことを表示したり、ナースコール子機１のプラグ４がウォールユニット１０のコンセント１２から脱落したことを表示したり、病室内に居る患者の氏名などを表示したりする図示しない廊下灯を備えている。また、ウォールユニット１０とナースコール親機２０との間には、ナースコール子機１およびナースコール親機２０間の通信に関する制御を行う図示しない制御機が接続されている。また、病院内の通信センターに設置される図示しないハンディナースコール主装置、図示しない構内交換機（ＰＢＸ：Private Branch Exchange）、図示しない公衆網、図示しない無線ユニットを備えることにより、医療従事者が携行するＰＨＳ（Personal Handy-phone System）によって、ナースコール親機２０の代わりにナースコール子機１からの呼び出しに応答することができる。
【００１７】
まず、ナースコール子機１の構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作されるものであり、ボタンなどにより構成されている。プラグ４は、ナースコール子機１をウォールユニット１０に接続するためのものである。
【００１８】
ここで、ナースコール子機１のプラグ４がウォールユニット１０のコンセント１２に接続されている状態で、ナースコール子機１の呼出操作部３が操作されると、子機制御部２は呼出信号を生成してウォールユニット１０へ出力する。この呼出信号には、ナースコール子機１を他のナースコール子機１と識別するための子機識別情報（例えば、ベッド番号など）が含まれる。
【００１９】
次に、ウォールユニット１０について説明する。制御部１１は、ウォールユニット１０の各構成要素を後述するように制御するためのものであり、ＣＰＵなどにより構成されている。コンセント１２は、ナースコール子機１のプラグ４を着脱自在に接続するためのものである。ここで、制御部１１は、ナースコール子機１のプラグ４がウォールユニット１０のコンセント１２に接続されているいか否かを検出している。
【００２０】
タイマー１３は時間を計測するものであり、ウォールユニット１０のコンセント１２からナースコール子機１のプラグ４が脱落してからの時間を計測する。インターフェース１４は、ウォールユニット１０とナースコール親機２０とを接続して通信を行うためのものである。ここで、インターフェース１４は、ウォールユニット１０がナースコール子機１から入力した呼出信号、および、ナースコール子機１のプラグ４がウォールユニット１０のコンセント１２から脱落したことを示す脱落呼出信号をナースコール親機２０へ出力する。ここで、脱落呼出信号には、ウォールユニット１０を他のウォールユニット１０と識別するための識別情報（例えば、ベッド番号など）が含まれる。
【００２１】
カバー１５は、ウォールユニット１０に対して開閉自在に取り付けられている。このカバー１５は、壁面の平面と略同平面を形成する第一の状態（図２（Ａ）を参照）と、壁面から突出したフックを形成する第二の状態（図２（Ｂ）を参照）とを選択的に移行可能である。
【００２２】
ここで、第一の状態はカバー１５の閉状態に該当し、第二の状態はカバー１５の開状態に該当する。また、カバー１５が開状態である第二の状態において、ウォールユニット１０の前面にはコンセント１２が露出する（図２（Ｂ）の正面図を参照）。また、ウォールユニット１０の前面には、カバー１５の閉状態であることを検出する検出部が設けられている。また、カバー１５が閉状態である第一の状態において、コンセント１２はカバー１５によって保護される。また、カバー１５は、カバー１５の下端に設けた横方向の軸を中心として回動する構造となっている。これにより、カバー１５は、第一の状態と第二の状態とを移行可能である。
【００２３】
図２（Ｂ）に示すように、ナースコール子機１に設けられたコードの先端にはプラグ４が設けられており、そのプラグ４はウォールユニット１０に設けられているコンセント１２に対して着脱自在に取り付けられている（図２（Ｂ）の矢印を参照）。また、同図に示すように、ナースコール子機１の筐体の上部には、リングが形成されている。
【００２４】
また、図２（Ｂ）の側面図に示すように、ウォールユニット１０のカバー１５が第二の状態であり、壁面から突出したフックの機能を有している状態では、このカバー１５にナースコール子機１のリングを掛けることで、ナースコール子機１の筐体をウォールユニット１０の近傍に置いておくことが可能となる。
【００２５】
次に、ナースコール親機２０について説明する。親機制御部２１は、ナースコール親機２０の各構成要素を後述するように制御するためのものであり、ＣＰＵなどにより構成されている。親機インターフェース２２は、ナースコール親機２０とウォールユニット１０とを接続して通信を行うためのものである。ここで、親機インターフェース２２は、ウォールユニット１０から出力された呼出信号や脱落呼出信号を入力する。
【００２６】
報知部２３は、ナースコール子機１の呼出操作部３が操作されて、呼び出しが行われたこと、または、ナースコール子機１のプラグ４がウォールユニット１０のコンセント１２から脱落したことを報知するためのものであり、スピーカーや表示装置、ランプなどにより構成される。ここで、ナースコール子機１により呼び出しが行われたことを示す報知と、ナースコール子機１のプラグ４がウォールユニット１０のコンセント１２から脱落したことを示す報知とは、パターンを異ならせることで区別できるようにすることが好ましい。
【００２７】
また、呼出信号に含まれる子機識別情報や脱落呼出信号に含まれる識別情報に基づいて、ナースコール子機１やウォールユニット１０が設置されている場所を示す情報を報知の際に表示するようにしても良い。これにより、報知を確認した医療従事者が呼び出しの発生場所を特定することができるようになる。
【００２８】
上述したように構成されたナースコールシステムにおいて、ナースコール子機１が使用状態である場合には、ナースコール子機１のプラグ４がウォールユニット１０のコンセント１２に接続された状態となる。ここで、プラグ４はコンセント１２に接続されるため、カバー１５は第二の状態（すなわち開状態）となる。また、この状態で、ナースコール子機１をウォールユニット１０の近傍に置いておくためには、ナースコール子機１のリングをカバー１５に掛けておく必要がある。
【００２９】
一方、ナースコール子機１が不要となった場合には、医療従事者などがナースコール子機１のプラグ４をウォールユニット１０のコンセント１２から取り外す（図２（Ｂ）を参照）。また、ナースコール子機１の筐体が引っ張られるなどした場合には、ナースコール子機１のプラグ４がウォールユニット１０のコンセント１２から外れることがある。すると、制御部１１は、ナースコール子機１のプラグ４がウォールユニット１０のコンセント１２から脱落したことを検出する。そして、制御部１１はタイマー１３を動作させ、タイマー１３が時間の計測を開始する。この状態で、タイマー１３が計測した時間が所定時間となるまでに、カバー１５が第一の状態（すなわち閉状態）になったか否かを制御部１１にて判定する。
【００３０】
なお、カバー１５が第一の状態になった場合には、図２（Ｂ）に示す検出部がカバー１５により押下されるため、制御部１１は検出部の押下の有無によりカバー１５の状態を判定している。
【００３１】
そして、タイマー１３が計測した時間が所定時間となるまでに、カバー１５が第二の状態から第一の状態になったと制御部１１にて判定した場合に、制御部１１は、ナースコール子機１のプラグ４がウォールユニット１０のコンセント１２から脱落したことを示す脱落呼出信号を生成しない。これは、医療従事者などが、ナースコール子機１のプラグ４をウォールユニット１０のコンセント１２から意図的に取り外したことを示している。
【００３２】
また、タイマー１３が計測した時間が所定時間となっても、カバー１５が第二の状態のままであると制御部１１にて判定した場合に（換言すると、タイマー１３が計測した時間が所定時間となるまでに、カバー１５が第二の状態から第一の状態にならなかったと制御部１１にて判定した場合に）、制御部１１は、脱落呼出信号を生成する。これは、ナースコール子機１のプラグ４がウォールユニット１０のコンセント１２から意図せずに脱落したことを示している。
【００３３】
上述したように制御部１１にて生成された脱落呼出信号は、インターフェース１４によりナースコール親機２０へ出力される。ナースコール親機２０では、親機インターフェース２２が脱落呼出信号を入力すると、親機制御部２１が報知部２３を動作させて、ナースコール子機１のプラグ４がウォールユニット１０のコンセント１２から脱落したことを報知する。
【００３４】
報知を把握した医療従事者などは、ウォールユニット１０が設置されている病室に駆けつけて、ナースコール子機１のプラグ４をウォールユニット１０のコンセント１２に取り付ける。すると、報知部２３による報知が停止する。
【００３５】
なお、ナースコール子機１のプラグ４がウォールユニット１０のコンセント１２に接続されている状態で呼出操作部３が操作された場合の動作については、従来技術と同様であるため説明を省略する。
【００３６】
以上詳しく説明したように、本実施形態によれば、ウォールユニット１０は、ウォールユニット１０が設置されている壁面の平面と略同平面を形成する第一の状態、および、壁面から突出し、ナースコール子機１に設けたリングを掛けるためのフックを形成する第二の状態を選択的に移行するカバー１５と、このカバー１５が第二の状態から第一の状態へと移行した場合に覆われ、ナースコール子機１のプラグ４を着脱自在に接続するコンセント１２とを備えている。そして、コンセント１２からナースコール子機１のプラグ４が脱落してからタイマー１３にて計測された時間が所定時間となるまでに、カバー１５が第二の状態から第一の状態へ移行したときに、ナースコール親機２０の報知部２３にて脱落呼び出しの報知を行わないようにし、所定時間となっても、カバー１５が第二の状態のままであるときに、ナースコール親機２０の報知部２３にて脱落呼び出しの報知を行うようにしている。
【００３７】
これにより、ナースコール子機１のプラグ４がウォールユニット１０のコンセント１２から意図的に取り外された場合には、コンセント１２を保護するために、ナースコール子機１のリングを掛けるためのフックの機能を有するカバー１５が第一の状態となり収納されることが自然であり、この自然な動作でナースコール子機１のプラグ４がウォールユニット１０のコンセント１２から脱落した際の脱落呼び出しの報知が行われなくなるので、脱落呼び出しを保留するためのボタンをウォールユニット１０に設ける必要がなくなる。一方、ナースコール子機１のプラグ４がウォールユニット１０のコンセント１２から意図せずに外れた場合には、カバー１５が第一の状態となることはなく、脱落呼び出しの報知が行われることになる。従って、脱落呼び出しを保留するためのボタンを設けずに、ナースコール子機１のプラグ４がウォールユニット１０のコンセント１２から外れた際の脱落呼び出しを適切に保留することができる。
【００３８】
なお、本実施形態では、カバー１５がカバー１５の下端に設けられた横方向の軸を中心として回動することで第一の状態と第二の状態とを移行しているが、これに限定されない。例えば、カバー１５′がカバー１５′の左端または右端に設けられた縦方向の軸を中心として回動することで第一の状態と第二の状態とを移行するようにしても良い。
【００３９】
具体的には、図３に示すように、ウォールユニット１０′に開閉可能なカバー１５′を取り付け、そのカバー１５′が開状態（第二の状態）である場合に突出した部分を上方に延伸させることで、カバー１５′がフックの機能を有する。このとき、ナースコール子機１のリングは、コンセント１２′に干渉しないようにカバー１５′に掛けられる。
【００４０】
第二の脱落呼出保留操作部１５を再度操作することで脱落呼び出しの保留を解除するようにしているが、これに限定されない。例えば、第二の脱落呼出保留操作部１５は、脱落呼び出しを保留する場合にのみ操作されるようにしても良い。これは、所定時間が経過すると、自動的に脱落呼び出しの保留が解除されるためである。
【００４１】
また、本実施形態では、ナースコール子機は呼出ボタンを備えるようにしているが、これに限定されない。例えば、患者の状態を検出して呼出信号を生成するようなナースコール子機をウォールユニット１のコンセント３に接続するようにしても良い。
【００４２】
また、本実施形態では、タイマー１３をウォールユニット１０に設け、制御部１１に脱落呼出信号を生成させないことで、ナースコール親機２０にて報知を行わせないようにしているが、これに限定されない。例えば、タイマーをナースコール親機２０に設け、ナースコール子機１のプラグ４がウォールユニット１０のコンセント１２から脱落した場合には常に制御部１１にて脱落呼出信号を生成させるとともにインターフェース１４にて脱落呼出信号をナースコール親機２０へ出力させておき、ナースコール親機２０にてカバー１５の状態を判定して、親機制御部２１が報知部２３を動作させるか否かにより脱落呼び出しの有無を決定するようにしても良い。これにより、タイマー１３を全てのウォールユニット１０に搭載する必要がなくなる。
【００４３】
また、本実施形態では、制御部１１に脱落呼出信号を生成させないことで、ナースコール親機２０にて報知を行わせないようにしているが、これに限定されない。例えば、インターフェース１４にて脱落呼出信号を出力させないようにすることでナースコール親機２０にて報知を行わせないようにしても良い。
【００４４】
また、本実施形態では、ナースコール子機１を呼び出し前の状態に戻すための復旧操作部をウォールユニット１０に設けていないが、これに限定されない。例えば、復旧操作部が脱落呼び出しを保留する機能を備えていなければ、復旧操作部をウォールユニット１０に設けるようにしても良い。
【００４５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４６】
１    ナースコール子機
２    子機制御部
３    呼出操作部
４    プラグ
１０    ウォールユニット
１１    制御部
１２    コンセント
１３    タイマー
１４    インターフェース
１５    カバー
２０    ナースコール親機
２１    親機制御部
２２    親機インターフェース
２３    報知部
【図１】
2014124188.tif 000003
【図２】
2014124188.tif 000004
【図３】
2014124188.tif 000005